(57)【要約】      （修正有）【課題】紙セパレートリリース機構を提供する。【解決手段】枠体、分離機構、１組の主動紙セパレートローラー３０、１組の推動機構からなる。分離機構はサポートフレーム２１を備え、サポートフレーム２１後端は回転可能状に、枠体上に設置され、サポートフレーム２１前端の両側は、一対の可動柱２１２をそれぞれ外へと突出して設置する。主動紙セパレートローラー３０は文書画像処理装置上に設置され、受動紙セパレートローラー２３は、主動紙セパレートローラー３０の摩擦連動により回転する。推動機構は枠体のスライド槽内にスライド可能状に設置する連動部品４１を備え、連動部品４１の上表面には推動接触面４１２及び停止面４１３を設置する。連動部品４１の推動接触面４１２及び停止面４１３は、サポートフレーム２１の可動柱２１２前方に設置される。【選択図】図５
0003192381.tif 000002
【実用新案登録請求の範囲】
【請求項１】
文書画像処理装置内に設置される紙セパレートリリース機構であって、
紙セパレートリリース機構は、枠体、分離機構、１組の主動紙セパレートローラー、１組の推動機構からなり、
前記枠体は、その下表面が、上方へと陥没し、サポートフレーム槽を形成し、前記サポートフレーム槽の左右槽壁には、上下に延伸し、下方へと前記枠体を貫通する可動槽をそれぞれ設置し、
前記分離機構は、サポートフレームを備え、前記サポートフレーム後端は、回転可能状に、前記枠体上に設置され、前記サポートフレーム前端の両側は、一対の可動柱をそれぞれ外へと突出して設置し、前記サポートフレームの可動柱は、上下にスライド可能状に、前記サポートフレーム槽両側の可動槽内に設置され、外へ向かい、前記可動槽に伸び出し、
前記分離機構はさらに、前記サポートフレーム上に固定する固定軸、前記固定軸上に回転可能状に設置される１組の受動紙セパレートローラーを備え、
前記主動紙セパレートローラーは、文書画像処理装置上に設置され、前記主動紙セパレートローラーと前記受動紙セパレートローラーとは、相互に接触し、前記受動紙セパレートローラーは、前記主動紙セパレートローラーの摩擦連動により回転し、
前記推動機構は、連動部品を備え、前記連動部品は、前後にスライド可能状に、前記枠体のスライド槽内に設置され、前記連動部品の後端上表面には、傾斜状の推動接触面、及び前記推動接触面前方に設置する水平の停止面を設置し、前記連動部品の推動接触面及び停止面は、前記サポートフレームの可動柱前方に設置されることを特徴とする紙セパレートリリース機構。
【請求項２】
前記枠体は、前記サポートフレーム槽後端両側に、一対の固定槽を設置し、
前記分離機構のサポートフレーム一端の両側は後方へと延伸し、延伸部末端はそれぞれ外へと延伸し、一対の固定柱を形成し、前記サポートフレームの固定柱は、回転可能状に、前記枠体のサポートフレーム槽後端の固定槽内に設置されることを特徴とする請求項１に記載の紙セパレートリリース機構。
【請求項３】
前記推動機構の連動部品の前端両側は、内向きに陥没し、一対の係合槽を形成し、
前記推動機構はさらに、推動部品を備え、前記推動部品は、推動接触部を備え、及び前記推動接触部左右両側から下方へと延伸して形成する係合槽に対応して係合する一対の係合部を備え、前記推動部品の係合部は、前記連動部品の係合槽内にスライド可能状に設置することを特徴とする請求項１に記載の紙セパレートリリース機構。
【請求項４】
前記推動機構はさらに、レバー部品を備え、
前記レバー部品は、回転可能状に、前記枠体の可動槽両側槽壁上に設置し、その一端は、前記連動部品に可動状に連接され、反対端は、上方へと、前記枠体表面に伸び出ることを特徴とする請求項１に記載の紙セパレートリリース機構。
【請求項５】
前記分離機構のサポートフレーム下方には、収容槽を設置し、
前記受動紙セパレートローラーは、前記収容槽内に収容されることを特徴とする請求項１に記載の紙セパレートリリース機構。
【考案の詳細な説明】
【技術分野】
【０００１】
本考案は、紙セパレートリリース機構に関し、半分に折畳まれた文書、厚い文書、或いは上に他の物件が粘着されている文書をスキャンする時に、文書を傷つけ、画像に影響を及ぼすという問題の発生を回避できる紙セパレートリリース機構に関する。
【背景技術】
【０００２】
一般のプリンター、多機能事務機、フィーディング式スキャナーなどにおいて、分離機構は、主動紙セパレートローラー、受動紙セパレートローラーからなる。主動紙セパレートローラー、受動紙セパレートローラーは、画像スキャナー装置中に、回転可能状に固定される。スキャン時には、主動紙セパレートローラーは、受動紙セパレートローラーの作業を連動する。半分に折畳まれた文書、厚い文書及び薄い文書、或いは上にポストイットが粘着されている文書、写真、プラスチックカード、凸字カードなどの文書をスキャンする時、主動紙セパレートローラーと受動紙セパレートローラーとの間の距離が一定であるため、受動紙セパレートローラーの摩擦力により、紙がずれてしまい、或いは文書が傷つき、画像に問題が生じる。
【考案の概要】
【考案が解決しようとする課題】
【０００３】
しかし、上述した考案は使用上に欠点があり、改善する必要がある。その原因は下記の通りである。
【０００４】
上述した従来の構造により、半分に折畳まれた文書、厚い文書及び薄い文書、或いは上にポストイットが粘着されている文書、写真、プラスチックカード、凸字カードなどの文書をスキャンすると、主動紙セパレートローラーと受動紙セパレートローラーとの間の距離が一定であるため、受動紙セパレートローラーの摩擦力により、紙がずれてしまい、或いは文書が傷つき、画像に問題が生じる。
【０００５】
本考案は、上述の問題に鑑みてなされたものであり、その目的は、主動紙セパレートローラーと受動紙セパレートローラーを離し、一定高度の間隙を生じさせ、これによりスキャンする文書をスムーズに通過させ、こうして半分に折畳まれた文書、厚い文書、上にポストイットが粘着されている文書、写真、プラスチックカード、凸字カードなどの文書をスキャンする際にずれや傷が発生する機会を減らし、画像における問題の発生を回避することができる紙セパレートリリース機構を提供することにある。
【課題を解決するための手段】
【０００６】
本考案による紙セパレートリリース機構は、文書画像処理装置内に設置される紙セパレートリリース機構であって、紙セパレートリリース機構は、枠体、分離機構、１組の主動紙セパレートローラー、１組の推動機構を備える。
枠体は、下表面に上方へと陥没し、サポートフレーム槽を形成し、サポートフレーム槽の左右槽壁には、上下に延伸し、下方へと枠体を貫通する可動槽をそれぞれ設置する。
分離機構は、サポートフレームを備え、サポートフレーム後端は、回転可能状に、枠体上に設置される。サポートフレーム前端の両側は、一対の可動柱をそれぞれ外へと突出して設置し、サポートフレームの可動柱は、上下にスライド可能状に、サポートフレーム槽両側の可動槽内に設置され、外へ向かい、可動槽に伸び出す。
分離機構はさらに、サポートフレーム上に固定する固定軸、固定軸上に回転可能状に設置される１組の受動紙セパレートローラーを備える。
主動紙セパレートローラーは、文書画像処理装置上に設置され、主動紙セパレートローラーと受動紙セパレートローラーとは、相互に接触し、受動紙セパレートローラーは、主動紙セパレートローラーの摩擦連動により回転する。
推動機構は、連動部品を備え、連動部品は、前後にスライド可能状に、枠体のスライド槽内に設置される。連動部品の後端上表面には、傾斜状の推動接触面、及び推動接触面前方に設置する水平の停止面を設置する。連動部品の推動接触面及び停止面は、サポートフレームの可動柱前方に設置される。
【考案の効果】
【０００７】
本考案紙セパレートリリース機構は、推動機構の連動部品の推動接触面を利用し、分離機構を持ち上げる可動柱を連動し、主動紙セパレートローラーと受動紙セパレートローラーを離し、一定高度の間隙を生じさせ、これにより半分に折畳まれた文書、厚い文書、上にポストイットが粘着されている文書、写真、プラスチックカード、凸字カードなどの文書をスキャンする際にずれや傷が発生する機会を減らし、画像における問題の発生を回避することができる。
【図面の簡単な説明】
【０００８】
【図１】本考案紙セパレートリリース機構の一実施形態の立体図である。
【図２】図１に示す紙セパレートリリース機構の分離機構の立体図である。
【図３】図１に示す紙セパレートリリース機構の推動機構の立体図である。
【図４】図１に示す紙セパレートリリース機構の主動紙セパレートローラーが受動紙セパレートローラーを摩擦する様子を示す模式図である。
【図５】図１に示す紙セパレートリリース機構の受動紙セパレートローラーと主動紙セパレートローラーが分離する様子を示す模式図である。
【考案を実施するための形態】
【０００９】
以下に図面を参照しながら本考案を実施するための最良の形態について詳細に説明する。
【実施例１】
【００１０】
本考案の一実施形態による紙セパレートリリース機構１００を図面に基づいて説明する。図１に示すように、紙セパレートリリース機構１００は、文書画像処理装置（図示なし）内に設置し、枠体１０、分離機構２０、文書画像処理装置上に設置する１組の主動紙セパレートローラー３０、推動機構４０からなる。
【００１１】
枠体１０は、一体成型部材で、その下表面は、上方へと陥没し、サポートフレーム槽１１を形成する。サポートフレーム槽１１の左右槽壁には、上下に延伸し、下方へと枠体１０を貫通する可動槽１１１をそれぞれ設置する。枠体１０は、サポートフレーム槽１１後端両側に、一対の固定槽（図示なし）を設置する。枠体１０は、上表面の片側が下方へと陥没し、スライド槽１２を形成する。
【００１２】
図２に示すように、分離機構２０は、サポートフレーム２１を備える。サポートフレーム２１一端は、回転可能状に、枠体１０上に設置される。サポートフレーム２１下方には、収容槽２１１を設置する。サポートフレーム２１後端の両側は、後方へと延伸し、延伸部の末端は、それぞれ外へと延伸し、一対の固定柱２１３を形成する。サポートフレーム２１前端の両側は、一対の可動柱２１２をそれぞれ外へと突出して設置する。分離機構２０はさらに、サポートフレーム２１上に固定する固定軸２２、固定軸２２上に回転可能状に設置し、収容槽２１１に収容される１組の受動紙セパレートローラー２３を備える。主動紙セパレートローラー３０と受動紙セパレートローラー２３とは、相互に接触し、受動紙セパレートローラー２３は、主動紙セパレートローラー３０の摩擦連動により、回転する。分離機構２０のサポートフレーム２１の固定柱２１３は、回転可能状に、枠体１０のサポートフレーム槽１１後端の固定槽内に設置される。分離機構２０は、枠体１０上に回転可能状に設置される。サポートフレーム２１の可動柱２１２は、上下にスライド可能状に、サポートフレーム槽１１両側の可動槽１１１内に設置され、外へ向かい、可動槽１１１に伸び出す。
【００１３】
図３に示すように、推動機構４０は、連動部品４１、連動部品４１上に設置する推動部品４２を備える。連動部品４１は、前後にスライド可能状に、枠体１０のスライド槽１２内に設置される。連動部品４１の前端両側は、内向きに陥没し、一対の係合槽４１１を形成する。連動部品４１の後端上表面には、傾斜状の推動接触面４１２、及び推動接触面４１２前方に設置する水平の停止面４１３を設置する。連動部品４１の推動接触面４１２及び停止面４１３は、サポートフレーム２１の可動柱２１２前方に設置する。推動部品４２は、推動接触部４２１を備え、及び推動接触部４２１左右両側から下方へと延伸して形成する係合槽４１１に対応して係合する一対の係合部４２２を備える。推動接触部品４２の係合部４２２は、連動部品４１の係合槽内にスライド状に設置される。
【００１４】
図５に示すように、本考案紙セパレートリリース機構１００が、半分に折畳まれた文書、厚い文書、上にポストイットが粘着されている文書、写真、プラスチックカード、凸字カード、或いはスキャン時に、紙セパレートリリース機構１００の摩擦力により紙がずれ或いは傷つく状況の発生が望まれない文書をスキャンする時には、以下のようにする。推動部品４２の推動接触部４２１を後方へと押す。連動部品４１は、推動部品４１の作用により、後方へと運動する。サポートフレーム２１の可動柱２１２は、推動接触面４１２の斜面に沿って、上方へと持ち上がり、連動部品４１の停止面４１３に係合する。この時、分離機構２０の受動紙セパレートローラー２３は、持ち上げられ、主動紙セパレートローラー３０から離れる。こうして、紙はスムーズに通過し、紙セパレートリリース機構１００の摩擦力により、紙がずれたり、文書が傷ついたりする恐れはなくなる。
【００１５】
図４に示すように、本考案紙セパレートリリース機構１００が、普通の文書をスキャンする時には、推動部品４２の推動接触部４２１を前方へと引き動かす。これにより、連動部品４１は、推動部品４１の作用により、前方へと運動し、サポートフレーム２１の可動柱２１２は、推動接触面４１２の斜面に沿って、下方へと降下し、分離機構２０の受動紙セパレートローラー２３と主動紙セパレートローラー３０とは、摩擦により回転する。こうして、一般文書の分離を実現することができる。
【００１６】
上記したように、本考案ローラーアセンブリ１００は、係合フック２１３が第一係合槽１２に位置する時、弾性アーム２１２の弾力を利用し、第一係合槽１２内に係合、設置される。分解時には、弾性アーム２１２の自由端を押し、これにより係合フック２１３は、第一係合槽１２に伸び出し、こうしてローラー台２０、及びローラー台２０上に嵌めて設置する２個のローラー３０を、ローラー軸１０上から取外すことができる。こうして、ローラーアセンブリ１００の製造コストを引き下げ、しかも組立て及び分解が簡単になり、製品コストを引き下げ、生産効率を向上させることができる。
【実施例２】
【００１７】
本考案第二実施形態の紙セパレートリリース機構１００の構造は、第一実施形態と概ね相同であるが、その差異について、以下に説明する。推動機構４０は、連動部品４１、連動部品４１上に可動状に連接するレバー部品（図示なし）を備える。レバー部品は、回転可能状に、枠体１０の可動槽１１１両側槽壁上に設置し、その一端は、連動部品４１に可動状に連接され、反対端は、上方へと、枠体１０表面に伸び出る。
【００１８】
本考案の紙セパレートリリース機構１００が、半分に折畳まれた文書、厚い文書、上にポストイットが粘着されている文書、写真、プラスチックカード、凸字カード、或いはスキャン時に、紙セパレートリリース機構１００の摩擦力により紙がずれ或いは傷つく状況の発生が望まれない文書をスキャンする時には、以下のようにする。レバー部品の枠体１０に延び出る一端を前方へと引く。
レバー部品の反対端は、連動部品４２を後方へと推動する。サポートフレーム２１の可動柱２１２は、推動接触面４１２の斜面に沿って、上方へと持ち上がり、連動部品４１の停止面４１３に係合する。この時、分離機構２０の受動紙セパレートローラー２３は、持ち上げられ、主動紙セパレートローラー３０から離れる。こうして、紙はスムーズに通過し、紙セパレートリリース機構１００の摩擦力により、紙がずれたり、文書が傷ついたりする恐れはなくなる。
【００１９】
本考案紙セパレートリリース機構１００が、普通の文書をスキャンする時には、レバー部品の枠体１０に延び出る一端を、後方へと押す。レバー部品の反対端は、連動部品４１を前方へと引く。サポートフレーム２１の可動柱２１２は、推動接触面４１２の斜面に沿って、下方へと降下し、分離機構２０の受動紙セパレートローラー２３と主動紙セパレートローラー３０とは、摩擦により回転する。こうして、一般文書の分離を実現することができる。
【００２０】
本考案の紙セパレートリリース機構１００は、推動機構４０の連動部品の推動接触面４１２を利用し、分離機構２０の可動柱２１２を連動して持ち上げ、主動紙セパレートローラー３０と受動紙セパレートローラー２３を分離させ一定高度の間隙を生じさせる。こうして、半分に折畳まれた文書、厚い文書、上にポストイットが粘着されている文書、写真、プラスチックカード、凸字カードなどの文書のスキャン時に、ずれたり傷ついたりする恐れを払拭し、画像に問題が生じることを回避できる。
【００２１】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００２２】
１００  紙セパレートリリース機構
１０  枠体
１１  サポートフレーム槽
１１１  可動槽
１２  スライド槽
２０  分離機構
２１  サポートフレーム
２１１  収容槽
２１２  可動柱
２１３  固定柱
２２  固定軸
２３  受動紙セパレートローラー
３０  主動紙セパレートローラー
４０  推動機構
４１  連動部品
４１１  係合槽
４１２  推動接触面
４１３  停止面
４２  推動部品
４２１  推接触部
４２２  係合部
【図１】
0003192381.tif 000003
【図２】
0003192381.tif 000004
【図３】
0003192381.tif 000005
【図４】
0003192381.tif 000006
【図５】
0003192381.tif 000007